(57)【特許請求の範囲】
【請求項１】
環状を呈し、内周面から光を照射する照射部と；
一端が前記照射部の外周面に設けられ、他端が前記照射部から離隔した位置に設けられた入射部と；
発光素子を有し、前記入射部の他端と対峙させて設けられた発光部と；
前記入射部に導入された光の一部を反射させる第１の反射面を有し、前記入射部と前記照射部との接続部分の近傍に設けられ、前記照射部の外周面に開口する凹部と；
前記入射部と前記照射部との接続部分の近傍であって、前記照射部の前記内周面と前記外周面との間に位置し、前記照射部を厚み方向に貫通し、前記第１の反射面で反射した光を反射させる第２の反射面を有する孔部と；
を具備した照明装置。
【請求項２】
前記入射部に導入された光であって、前記第１の反射面に入射しない光は、前記照射部の内部を第１の方向に伝播し、
前記凹部は、前記第１の反射面に入射した光を前記第１の反射面で反射させて、前記照射部の内部を前記第１の方向とは異なる第２の方向に伝播させる請求項１記載の照明装置。
【請求項３】
前記第１の反射面は、前記入射した光を全反射させる請求項１または２に記載の照明装置。
【請求項４】
前記第２の反射面は、入射した光を全反射させる請求項１〜３のいずれか１つに記載の照明装置。
【請求項５】
容器を挿入する孔部を有したカバー部と；
前記容器を挿入する開口を有し、前記カバー部の孔部に前記開口を対峙させて設けられた保持部と；
前記カバー部と、前記保持部と、の間に設けられた請求項１〜４のいずれか１つに記載の照明装置と；
を具備した容器ホルダ。
【発明の詳細な説明】
【技術分野】
【０００１】
本発明の実施形態は、照明装置および容器ホルダに関する。
【背景技術】
【０００２】
環状の照射部と、照射部の内部に光を導入する発光ダイオードとを備えた照明装置がある。  
この様な照明装置によれば、環状の照射部の内側に光を照射することができる。  
例えば、環状の照射部の内側に設けられた部材に対して周囲から光を照射したり、環状の照射部の内周面を光らせて部材を設ける際の目印にしたりすることができる。  
しかしながら、この様な照明装置には、環状の照射部の内周面に明るさのむらが生じるという問題がある。
【先行技術文献】
【特許文献】
【０００３】
【特許文献１】特開２００１−１１８４６３号公報
【発明の概要】
【発明が解決しようとする課題】
【０００４】
本発明が解決しようとする課題は、環状の照射部の内周面における明るさのむらを低減できる照明装置および容器ホルダを提供することである。
【課題を解決するための手段】
【０００５】
実施形態に係る照明装置は、環状を呈し、内周面から光を照射する照射部と；一端が前記照射部の外周面に設けられ、他端が前記照射部から離隔した位置に設けられた入射部と；発光素子を有し、前記入射部の他端と対峙させて設けられた発光部と；前記入射部に導入された光の一部を反射させる第１の反射面を有し、前記入射部と前記照射部との接続部分の近傍に設けられ、前記照射部の外周面に開口する凹部と；前記入射部と前記照射部との接続部分の近傍であって、前記照射部の前記内周面と前記外周面との間に位置し、前記照射部を厚み方向に貫通し、前記第１の反射面で反射した光を反射させる第２の反射面を有する孔部と；を具備している。
【発明の効果】
【０００６】
本発明の実施形態によれば、環状の照射部の内周面における明るさのむらを低減できる照明装置および容器ホルダを提供することができる。
【図面の簡単な説明】
【０００７】
【図１】本実施の形態に係る容器ホルダ１００を例示するための模式斜視図である。
【図２】本実施の形態に係る容器ホルダ１００を例示するための模式分解図である。
【図３】本実施の形態に係る照明装置１を例示するための模式図である。
【図４】照明部３の断面形状を例示するための模式部分斜視図である。
【図５】比較例に係る照明部３０を例示するための模式図である。
【図６】凹部３ｈ（３ｉ）を例示するための模式図である。
【図７】他の実施形態に係る照明部１３を例示するための模式図である。
【図８】孔部１３ａ（１３ｂ）を例示するための模式図である。
【図９】他の実施形態に係る照明部２３を例示するための模式図である。
【図１０】他の実施形態に係る照明部３３を例示するための模式図である。
【図１１】１つの容器を保持させることができる容器ホルダ１１０を例示するための模式斜視図である。
【図１２】容器ホルダ１１０に設けられる照射部４３を例示するための模式図である。
【図１３】他の実施形態に係る入射部の配設形態を例示するための模式斜視図である。
【発明を実施するための形態】
【０００８】
実施形態に係る照明装置は、環状を呈し、内周面から光を照射する照射部と；一端が前記照射部の外周面に設けられ、他端が前記照射部から離隔した位置に設けられた入射部と；発光素子を有し、前記入射部の他端と対峙させて設けられた発光部と；前記入射部に導入された光の一部を反射させる第１の反射面を有し、前記入射部と前記照射部との接続部分の近傍に設けられ、前記照射部の外周面に開口する凹部と；前記入射部と前記照射部との接続部分の近傍であって、前記照射部の前記内周面と前記外周面との間に位置し、前記照射部を厚み方向に貫通し、前記第１の反射面で反射した光を反射させる第２の反射面を有する孔部と；を具備している。
この照明装置によれば、環状の照射部の内周面における明るさのむらを低減できる。また、照射部の内周面に直接入射する光の量を低減させることができる。そのため、照射部の内周面における明るさのむらをさらに低減できる。
【０００９】
この場合、前記入射部に導入された光であって、前記第１の反射面に入射しない光は、前記照射部の内部を第１の方向に伝播する。  
前記凹部は、前記第１の反射面に入射した光を前記第１の反射面で反射させて、前記照射部の内部を前記第１の方向とは異なる第２の方向に伝播させる。  
この様にすれば、入射部に導入された光を適切な割合で分配することができる。
【００１０】
また、前記第１の反射面は、前記入射した光を全反射させるようにすることができる。  この様にすれば、第１の反射面に入射した光の利用効率を向上させることができる。
【００１２】
また、前記第２の反射面は、入射した光を全反射させるようにすることができる。  
この様にすれば、第２の反射面に入射した光の利用効率を向上させることができる。
【００１３】
また、実施形態に係る容器ホルダは、容器を挿入する孔部を有したカバー部と；前記容器を挿入する開口を有し、前記カバー部の孔部に前記開口を対峙させて設けられた保持部と；前記カバー部と、前記保持部と、の間に設けられた上記の照明装置と；を具備している。  
この容器ホルダによれば、環状の照射部の内周面における明るさのむらを低減できるので、照射部の内周面を視認した際の違和感を低減できる。  
そのため、商品性を向上させることができる。
【００１４】
以下、図面を参照しつつ、実施の形態について例示をする。なお、各図面中、同様の構成要素には同一の符号を付して詳細な説明は適宜省略する。  
図１は、本実施の形態に係る容器ホルダ１００を例示するための模式斜視図である。  
図２は、本実施の形態に係る容器ホルダ１００を例示するための模式分解図である。  
図３は、本実施の形態に係る照明装置１を例示するための模式図である。  
図４は、照明部３の断面形状を例示するための模式部分斜視図である。
【００１５】
図１および図２に示すように、容器ホルダ１００には、カバー部１０１、保持部１０２、および照明装置１が設けられている。  
図１および図２に例示をした容器ホルダ１００には、容器を２つまで保持させることができる。  
容器ホルダ１００に保持させる容器は、例えば、飲料が収納される容器とすることができる。容器は、例えば、紙や樹脂などからなるカップ、缶、瓶などとすることができる。
【００１６】
容器ホルダ１００は、例えば、自動車、鉄道車両、航空機、船舶などの移動体の室内に設けることができる。この場合、容器ホルダ１００は、例えば、乗員が座る座席の近傍に設けることができる。
【００１７】
また、容器ホルダ１００に容器を保持させた場合には、容器の端部がカバー部１０１から突出するようになっている。  
そして、容器を挿入していない状態においては、カバー部１０１の孔部１０１ａを介して照明部３の内周面３ｇ（発光面）が目視できるようになっている。
【００１８】
カバー部１０１は、板状を呈し、容器を挿入するための孔部１０１ａが設けられている。
孔部１０１ａは、カバー部１０１を厚み方向に貫通している。孔部１０１ａの大きさと形状は、照明部３の内側の孔の大きさと形状と同じとなっている。そのため、容器ホルダ１００を組み立てた際には、平面視において、孔部１０１ａの縁と、照明部３の内周面とが重なるようになっている。  
カバー部１０１の材料には特に限定はないが、例えば、樹脂などとすればカバー部１０１の製造が容易となる。  
また、カバー部１０１は、遮光性を有していてもよいし、透光性を有していてもよい。
【００１９】
カバー部１０１と照明装置１の接合は、例えば、接着剤による接着などとすることができる。  
ただし、カバー部１０１と照明装置１の接合は、必ずしも必要ではなく、例えば、照明装置１がカバー部１０１と保持部１０２とに挟まれているだけでもよい。  
また、カバー部１０１は、車両の内装材とすることもできる。
【００２０】
保持部１０２は、箱状を呈し、一方の端部側が開口している。保持部１０２の他方の端部側は、開口していてもよいし、開口していなくてもよい。保持部１０２は、カバー部１０１の孔部１０１ａに開口を対峙させて設けられている。  
保持部１０２の開口には、容器が挿入され、保持部１０２の内部の側壁および内部の底面の少なくともいずれかで、挿入された容器を保持することができるようになっている。
【００２１】
保持部１０２は、照明装置１が設けられる側とは反対側に向かうに従い断面積が漸減する形状を有している。  
保持部１０２の材料には特に限定はないが、例えば、樹脂などとすれば保持部１０２の製造が容易となる。  
また、発光素子２ｂの発熱量が多い場合には、熱伝導率の高い材料を用いて保持部１０２を形成することもできる。
【００２２】
熱伝導率の高い材料は、例えば、高熱伝導性樹脂、金属、酸化アルミニウムや窒化アルミニウムなどのセラミックスなどとすることができる。  
なお、高熱伝導性樹脂は、例えば、ＰＥＴ（Polyethyleneterephthalate）やナイロンなどの樹脂に、熱伝導率の高い炭素や酸化アルミニウムなどからなる繊維や粒子を混合させたものである。
【００２３】
保持部１０２の開口側の端部には、保持部１０２の外方に向けて突出する取付座１０２ａが設けられている。  
取付座１０２ａには、発光部２の筐体部２ａが取り付けられる。例えば、取付座１０２ａには、発光部２の筐体部２ａがねじ止めされる。
【００２４】
保持部１０２と照明装置１の接合は、例えば、接着剤による接着などとすることができる。  
ただし、保持部１０２と照明装置１の接合は、必ずしも必要ではなく、例えば、照明装置１がカバー部１０１と保持部１０２とに挟まれているだけでもよい。  
また、保持部１０２は、例えば、車両に設けられる部材などとすることもできる。
【００２５】
照明装置１は、カバー部１０１と保持部１０２の間に設けられている。  
図３に示すように、照明装置１には、発光部２および照明部３が設けられている。
【００２６】
発光部２には、筐体部２ａおよび発光素子２ｂが設けられている。  
図３に例示をしたものの場合には、発光部２が２つ設けられている。
【００２７】
発光部２から出射した光は、照明部３（入射部３ｂ、３ｄ）の内部に導入され、照明部３の内部を伝播する。この際、伝播する光は減衰するので、伝播する距離が長くなるほど照明部３から照射される光の強度が弱くなるおそれがある。この場合、複数の発光部２を設ければ、１つの発光部２が受け持つ伝播距離を短くすることができるので、照明部３から照射される光の強度を高めることが容易となる。一方、発光部２の数を多くすると照明装置１の大型化や高コスト化を招くことになる。
【００２８】
そのため、発光部２の数は、照明部３から照射される光の強度が所定の値以上となるように適宜変更することができる。  
なお、照明部３から照射される光の強度が所定の値以上であれば、発光部２の数は１つでもよい。
【００２９】
筐体部２ａは、発光素子２ｂを保持するとともに、発光素子２ｂを保護する。  
筐体部２ａは、平面形状がＴ字状を呈し、一方の端部が光の照射面２ａ１となっている。照射面２ａ１には、レンズなどの光学要素を設けることもできる。
【００３０】
また、筐体部２ａの他方の端部には取付部２ａ２が設けられている。  
容器ホルダ１００を組み立てる際には、取付部２ａ２を保持部１０２の取付座１０２ａの上に載置し、取付部２ａ２に設けられた穴に例えばタッピングねじをねじ込むことで、保持部１０２に筐体部２ａ、ひいては発光部２を取り付けることができる。
【００３１】
筐体部２ａの材料には特に限定はないが、例えば、樹脂などとすれば筐体部２ａの製造が容易となる。  
また、発光素子２ｂの発熱量が多い場合には、熱伝導率の高い材料を用いて筐体部２ａを形成することもできる。  
熱伝導率の高い材料は、例えば、前述した高熱伝導性樹脂、金属、酸化アルミニウムや窒化アルミニウムなどのセラミックスなどとすることができる。
【００３２】
発光素子２ｂは、筐体部２ａの内部に設けられ、照射面２ａ１に向けて光を出射する。
発光素子２ｂは、例えば、発光ダイオードやレーザダイオードなどとすることができる。
発光素子２ｂの数には特に限定はない。発光素子２ｂの数は、照明部３（入射部３ｂ、３ｄ）の大きさなどに応じて適宜変更することができる。すなわち、発光素子２ｂの数は、１個以上であればよい。
【００３３】
発光素子２ｂの形態には特に限定はない。発光素子２ｂは、例えば、砲弾型の発光素子であってもよいし、表面実装型（チップ型）の発光素子であってもよい。  
発光素子２ｂに設けられた図示しない端子は、筐体部２ａから露出している。筐体部２ａから露出した図示しない端子には、コネクタなどを介して外部の電源などが接続される。
【００３４】
発光部２から出射する光の色には特に限定はない。発光部２から出射する光の色は、例えば、車両の内装材の色やデザインなどを考慮して適宜変更することができる。  
発光部２から出射する光の色は、例えば、蛍光体を含む樹脂などからなる波長変換部を設け、蛍光体の種類を適宜選択することで変更することができる。  
例えば、発光素子２ｂが青色発光ダイオード、蛍光体がＹＡＧ系蛍光体（イットリウム・アルミニウム・ガーネット系蛍光体）である場合には、青色発光ダイオードから照射された青色の光によりＹＡＧ系蛍光体が励起され、ＹＡＧ系蛍光体から黄色の蛍光が放射される。そして、青色の光と黄色の光が混ざり合うことで、白色の光が発光部２から出射する。  
この様に、発光部２から出射する光の色は、蛍光体の種類を適宜選択することで変更することができる。
【００３５】
照明部３は、第１の照射部３ａ、入射部３ｂ、第２の照射部３ｃ、入射部３ｄ、第３の照射部３ｅ、第４の照射部３ｆ、凹部３ｈ、および凹部３ｉを有する。  
第１の照射部３ａ、入射部３ｂ、第２の照射部３ｃ、入射部３ｄ、第３の照射部３ｅ、および第４の照射部３ｆは、例えば、アクリル樹脂やポリカーボネート樹脂などの透明樹脂から形成することができる。  
第１の照射部３ａ、第２の照射部３ｃ、第３の照射部３ｅ、および第４の照射部３ｆは、一体に形成され、平面視において環状を呈する照射部となっている。  
第１の照射部３ａ、第２の照射部３ｃ、第３の照射部３ｅ、および第４の照射部３ｆからなる照射部の内周面３ｇ（照明部３の内周面３ｇ）は、光を照射する面（発光面）となっている。すなわち、環状の照射部は、内周面３ｇから光を照射する。
【００３６】
第１の照射部３ａの内周面３ａ１の形状は、挿入される容器の外周面の形状の一部と相似となるようにすることができる。  
図３に例示をしたものの場合には、平面視における第１の照射部３ａの内周面３ａ１の形状は、円の一部となっている。
【００３７】
入射部３ｂは、棒状を呈し、第１の照射部３ａの外方に向けて突出している。  
入射部３ｂの一端は、第１の照射部３ａの外周面に接続されている。入射部３ｂの他端は、第１の照射部３ａから離隔した位置に設けられている。入射部３ｂの他端は、発光部２に対峙している。入射部３ｂの他端は、発光部２からの光が入射する入射面となっている。
【００３８】
第２の照射部３ｃは、第１の照射部３ａと同様の形状および寸法を有するものとすることができる。この場合、第２の照射部３ｃは、照明部３の中心に対して第１の照射部３ａと点対称となるようにすることができる。
【００３９】
入射部３ｄは、入射部３ｂと同様の形状および寸法を有するものとすることができる。この場合、入射部３ｄは、照明部３の中心に対して入射部３ｂと点対称となるようにすることができる。  
なお、図３に例示をしたものの場合には、発光部２が２つ設けられているため入射部３ｂと入射部３ｄを設けているが、発光部２が１つの場合には入射部３ｂまたは入射部３ｄが設けられていればよい。  
入射部の数は、発光部２の数と同じとすることができる。
【００４０】
第３の照射部３ｅは、第１の照射部３ａと第２の照射部３ｃとの間に設けられている。
第３の照射部３ｅの一端は第１の照射部３ａの一端に設けられ、第３の照射部３ｅの他端は第２の照射部３ｃの一端に設けられている。
【００４１】
第４の照射部３ｆは、第１の照射部３ａと第２の照射部３ｃとの間に設けられている。  第４の照射部３ｆの一端は第１の照射部３ａの他端に設けられ、第４の照射部３ｆの他端は第２の照射部３ｃの他端に設けられている。
【００４２】
第１の照射部３ａ、入射部３ｂ、第２の照射部３ｃ、入射部３ｄ、第３の照射部３ｅ、および第４の照射部３ｆの断面形状には特に限定はない。
ただし、図４に示すように、これらの断面形状を四角形とすれば、照明部３とカバー部１０１との間の密着性、および、照明部３と保持部１０２との間の密着性を向上させることができる。
【００４３】
照明部３の内周面３ｇ以外の面は外部から視認することができない。これに対して、照明部３の内周面３ｇは、カバー部１０１の孔部１０１ａを介して外部から視認することができる。  
この場合、内周面３ｇに明るさのむらがあると、乗員などが照明部３の内周面３ｇを視認した際に違和感を感じるおそれがある。そのため、照明装置１、ひいては容器ホルダ１００の商品価値が低下するおそれがある。
【００４４】
図５は、比較例に係る照明部３０を例示するための模式図である。  
図５に示すように、入射部３０ｂを介して照射部３０ａの内部に導入された光Ｌは、照射部３０ｅを介して照射部３０ｃに導入される。  
伝播する距離が長くなるほど光は減衰するので、照射部３０ｃの照射部３０ｆが接続された側に導入される光Ｌの強度は弱くなる。  
また、光は直進性が強いので、入射部３０ｄから導入された光Ｌ’は、照射部３０ｃの照射部３０ｅが接続された側には導入されにくい。  
そのため、図５中のＡ部が暗くなる。
【００４５】
また、入射部３０ｄを介して照射部３０ｃの内部に導入された光Ｌ’は、照射部３０ｆを介して照射部３０ａに導入される。  
伝播する距離が長くなるほど光は減衰するので、照射部３０ａの照射部３０ｅが接続された側に導入される光Ｌ’の強度は弱くなる。  
また、光は直進性が強いので、入射部３０ｂから導入された光Ｌは、照射部３０ａの照射部３０ｆが接続された側には導入されにくい。  
そのため、図５中のＢ部が暗くなる。  
すなわち、内周面３０ｇに明るさのむらが生じることになる。
【００４６】
そこで、本実施の形態に係る照明部３においては、入射部３ｂと第１の照射部３ａの接続部分の近傍に凹部３ｈを設けている。凹部３ｈは、第１の照射部３ａの外周面に開口している。凹部３ｈは、入射部３ｂに導入された光の一部を反射させる反射面３ｈ１（第１の反射面の一例に相当する）を有している。  
また、入射部３ｄと第２の照射部３ｃの接続部分の近傍に凹部３ｉを設けている。凹部３ｉは、第２の照射部３ｃの外周面に開口している。凹部３ｉは、入射部３ｄに導入された光の一部を反射させる反射面３ｉ１（第１の反射面の一例に相当する）を有している。
【００４７】
図６は、凹部３ｈ（３ｉ）を例示するための模式図である。  
図６に示すように、凹部３ｈは、第１の照射部３ａの外周面に開口している。そのため、凹部３ｈの内部には、照明部３が設けられた環境に含まれる気体（一般的には空気）が満たされている。反射面３ｈ１は、照明部３の材料の屈折率と気体の屈折率との差に応じて光を反射する。  
凹部３ｈの反射面３ｈ１は、入射部３ｂの入射面３ｂ１と対峙している。反射面３ｈ１の面積は、入射面３ｂ１の面積よりも小さい。  
入射部３ｂの側面３ｂ２と、反射面３ｈ１とがなす角度θは、９０°より大きい。  
角度θは、入射した光Ｌ１を全反射させることができる角度とすることが好ましい。  
反射面３ｈ１が、入射した光Ｌ１を全反射させれば、反射面３ｈ１に入射した光Ｌ１の利用効率を向上させることができる。
【００４８】
入射面３ｂ１から入射部３ｂの内部に導入された光の一部（光Ｌ１）は反射面３ｈ１に入射し、反射面３ｈ１で反射されて第１の照射部３ａの第４の照射部３ｆが接続された側に導入される。反射面３ｈ１に入射しなかった光Ｌ２は、第１の照射部３ａの第３の照射部３ｅが接続された側に導入される。すなわち、入射部３ｂに導入された光であって、反射面３ｈ１に入射しない光Ｌ２は、照射部の内部を所定の方向（第１の方向の一例に相当する）に伝播する。凹部３ｈは、入射した光Ｌ１を反射面３ｈ１で反射させて、照射部の内部を光Ｌ２が伝播する方向とは異なる方向（第２の方向の一例に相当する）に伝播させる。
この様に、凹部３ｈは、入射部３ｂの内部に導入された光を、第１の照射部３ａの第４の照射部３ｆが接続された側と、第１の照射部３ａの第３の照射部３ｅが接続された側とに分配する。  
この場合、光の分配率は、照明部３の内周面３ｇにおける明るさのむらが少なくなるように適宜変更することができる。  
光の分配率は、反射面３ｈ１の面積、反射面３ｈ１の配設位置、および角度θを変化させることで適宜設定することができる。
【００４９】
凹部３ｉは、第２の照射部３ｃの外周面に開口している。そのため、凹部３ｉの内部には、照明部３が設けられた環境に含まれる気体（一般的には空気）が満たされている。反射面３ｉ１は、照明部３の材料の屈折率と気体の屈折率との差に応じて光を反射する。  
凹部３ｉの反射面３ｉ１は、入射部３ｄの入射面３ｄ１と対峙している。反射面３ｉ１の面積は、入射面３ｄ１の面積よりも小さい。  
入射部３ｄの側面３ｄ２と、反射面３ｉ１とがなす角度θは、９０°より大きい。  
角度θは、入射した光Ｌ１を全反射させることができる角度とすることが好ましい。  
反射面３ｉ１が、入射した光Ｌ１を全反射させれば、反射面３ｉ１に入射した光Ｌ１の利用効率を向上させることができる。  
【００５０】
入射面３ｄ１から入射部３ｄの内部に導入された光の一部（光Ｌ１）は反射面３ｉ１に入射し、反射面３ｉ１で反射されて第２の照射部３ｃの第３の照射部３ｅが接続された側に導入される。反射面３ｉ１に入射しなかった光Ｌ２は、第２の照射部３ｃの第４の照射部３ｆが接続された側に導入される。すなわち、入射部３ｄに導入された光であって、反射面３ｉ１に入射しない光Ｌ２は、照射部の内部を所定の方向（第１の方向の一例に相当する）に伝播する。凹部３ｉは、入射した光Ｌ１を反射面３ｉ１で反射させて、照射部の内部を光Ｌ２が伝播する方向とは異なる方向（第２の方向の一例に相当する）に伝播させる。
この様に、凹部３ｉは、入射部３ｄの内部に導入された光を、第２の照射部３ｃの第３の照射部３ｅが接続された側と、第２の照射部３ｃの第４の照射部３ｆが接続された側とに分配する。
この場合、光の分配率は、照明部３の内周面３ｇにおける明るさのむらが少なくなるように適宜変更することができる。  
光の分配率は、反射面３ｉ１の面積、反射面３ｉ１の配設位置、および角度θを変化させることで適宜変更することができる。  
また、平面視において三角形状を呈する凹部３ｈ、３ｉを例示したが、反射面３ｈ１、３ｉ１を有していれば凹部３ｈ、３ｉの形状には特に限定はない。
【００５１】
図７は、他の実施形態に係る照明部１３を例示するための模式図である。  
図８は、孔部１３ａ（１３ｂ）を例示するための模式図である。  
図７に示すように、照明部１３は、第１の照射部３ａ、入射部３ｂ、第２の照射部３ｃ、入射部３ｄ、第３の照射部３ｅ、第４の照射部３ｆ、凹部３ｈ、凹部３ｉ、孔部１３ａ、および孔部１３ｂを有する。  
すなわち、照明部１３は、照明部３に孔部１３ａおよび孔部１３ｂをさらに設けたものである。
【００５２】
反射面３ｈ１（３ｉ１）で反射され、照明部１３の内周面３ｇに直接入射する光の量が多いと、光が直接入射した領域が明るくなりすぎる場合がある。  
そのため、照明部１３においては、孔部１３ａ（１３ｂ）を設けて、照明部１３の内周面３ｇに直接入射する光の量が多くなりすぎないようにしている。
【００５３】
図８に示すように、孔部１３ａは、入射部３ｂと第１の照射部３ａの接続部分の近傍に設けられている。孔部１３ａは、入射部３ｂの側面３ｂ２側および照明部１３の内周面３ｇ（平面視における照明部１３の外側および内側）には開口していない。孔部１３ａは、照明部１３（第１の照射部３ａ）を厚み方向に貫通している。そのため、孔部１３ａの内部には、照明部１３が設けられる環境に含まれる気体（一般的には空気）が満たされている。孔部１３ａは、反射面１３ａ１を有する。反射面１３ａ１は、照明部３の材料の屈折率と気体の屈折率との差に応じて光を反射する。反射面１３ａ１は、反射面３ｈ１で反射された光Ｌ１が入射する位置に設けられている。反射面１３ａ１と、反射面３ｈ１で反射された光Ｌ１とがなす角度は、入射した光Ｌ１を全反射させることができる角度とすることが好ましい。反射面１３ａ１が、入射した光Ｌ１を全反射すれば、反射面１３ａ１に入射した光の利用効率を向上させることができる。
【００５４】
反射面１３ａ１に入射した光Ｌ１は、反射面１３ａ１で反射されて伝播方向が変えられる。この際、照射部３の内周面３ｇにおける明るさのむらが低減されるように光Ｌ１の伝播方向が変えられる。
【００５５】
光Ｌ１の伝播方向は、反射面１３ａ１と、反射面３ｈ１で反射された光Ｌ１とがなす角度、および反射面１３ａ１の配設位置を変化させることで適宜変更することができる。
【００５６】
孔部１３ｂは、入射部３ｄと第２の照射部３ｃの接続部分の近傍に設けられている。孔部１３ｂは、入射部３ｄの側面３ｄ２側および照射部３の内周面３ｇ（平面視における照射部３の外側および内側）には開口していない。孔部１３ｂは、照明部１３（第２の照射部３ｃ）を厚み方向に貫通している。そのため、孔部１３ｂの内部には、照明部１３が設けられる環境に含まれる気体（一般的には空気）が満たされている。孔部１３ｂは、反射面１３ｂ１を有する。反射面１３ｂ１は、照明部３の材料の屈折率と気体の屈折率との差に応じて光を反射する。反射面１３ｂ１は、反射面３ｉ１で反射された光Ｌ１が入射する位置に設けられている。反射面１３ｂ１と、反射面３ｉ１で反射された光Ｌ１とがなす角度は、入射した光Ｌ１を全反射させることができる角度とすることが好ましい。反射面１３ｂ１が、入射した光Ｌ１を全反射すれば、反射面１３ｂ１に入射した光の利用効率を向上させることができる。
【００５７】
反射面１３ｂ１に入射した光Ｌ１は、反射面１３ｂ１で反射されて伝播方向が変えられる。この際、照明部１３の内周面３ｇにおける明るさのむらが低減されるように光Ｌ１の伝播方向が変えられる。
【００５８】
光Ｌ１の伝播方向は、反射面１３ｂ１と、反射面３ｉ１で反射された光Ｌ１とがなす角度、および反射面１３ｂ１の配設位置を変化させることで適宜変更することができる。  
なお、平面視において三角形状を呈する孔部１３ａ、１３ｂを例示したが、反射面１３ａ１、１３ｂ１を有していれば孔部１３ａ、１３ｂの形状には特に限定はない。
【００５９】
また、入射部の配設位置や数は、適宜変更することができる。  
この場合、凹部および孔部の配設位置や数も、入射部の配設位置や数に応じて適宜変更することができる。  
図９は、他の実施形態に係る照明部２３を例示するための模式図である。  
前述した照射部１３の場合には、入射部３ｄ、凹部３ｉ、および孔部１３ｂは、照射部１３の長手方向における一方の端部側に設けられ、入射部３ｂ、凹部３ｈ、および孔部１３ａは、照射部１３の長手方向における他方の端部側に設けられている。  
また、入射部３ｄ、凹部３ｉ、および孔部１３ｂは、照射部１３の短手方向における一方の端部側に設けられ、入射部３ｂ、凹部３ｈ、および孔部１３ａは、照射部１３の短手方向における他方の端部側に設けられている。
【００６０】
これに対して、照明部２３の場合には、図９に示すように、入射部３ｄ、凹部３ｉ、および孔部１３ｂと、入射部３ｂ、凹部３ｈ、および孔部１３ａは、照明部２３の長手方向における同じ端部側に設けられている。  
また、入射部３ｄ、凹部３ｉ、および孔部１３ｂは、照明部２３の短手方向における一方の端部側に設けられ、入射部３ｂ、凹部３ｈ、および孔部１３ａは、照射部２３の短手方向における他方の端部側に設けられている。
図５の構成のように、入射部３０ｂから入射する光Ｌの向きと、入射部３０ｄから入射する光Ｌ'の向きが対向する場合、例えば、乗員が、照射部３０の長手方向の一端から照射部３０を視認すると、乗員側に向かってくる光を導光する照射部が明るく感じ、乗員から離れる向きの光を導光する照射部が暗く感じる場合がある。
図９の構成においては、入射部３ｂ及び入射部３ｄから入射する光の向き、すなわち、照射部２３の長手方向の一方の端部から視認する乗員に対する光の向きを揃えることができるので、乗員が感じる照射部２３の見た目の光の均斉度を向上させることができる。
【００６１】
図１０は、他の実施形態に係る照明部３３を例示するための模式図である。  
図１０に示すように、照明部３３の場合には、入射部３ｄ、凹部３ｉ、および孔部１３ｂと、入射部３３ｂ、凹部３ｋ、および孔部１３ｄとは、照明部３３の長手方向における一方の端部側に設けられている。  
入射部３ｂ、凹部３ｈ、および孔部１３ａと、入射部３３ａ、凹部３ｊ、および孔部１３ｃとは、照明部３３の長手方向における他方の端部側に設けられている。  
入射部３ｄ、凹部３ｉ、および孔部１３ｂと、入射部３３ａ、凹部３ｊ、および孔部１３ｃとは、照明部３３の短手方向における一方の端部側に設けられている。  
入射部３ｂ、凹部３ｈ、および孔部１３ａと、入射部３３ｂ、凹部３ｋ、および孔部１３ｄとは、照明部３３の短手方向における他方の端部側に設けられている。
入射部３ｄ及び入射部３３ｂから入射する光の向き、すなわち、照射部３３の長手方向の一方の端部から視認する乗員に対する光の向きを揃えることができるので、乗員が感じる照射部３３の見た目の光の均斉度を向上させることができる。
また、入射部３ｂ及び入射部３３ａから入射する光の向き、すなわち、照射部３３の長手方向の一方の端部から視認する乗員に対する光の向きを揃えることができるので、乗員が感じる照射部３３の見た目の光の均斉度を向上させることができる。
【００６２】
また、以上においては、容器を２つまで保持させることができる容器ホルダ１００を例示したが、容器を１つ、あるいは容器を３つ以上保持させることができる容器ホルダとすることもできる。  
図１１は、１つの容器を保持させることができる容器ホルダ１１０を例示するための模式斜視図である。  
図１２は、容器ホルダ１１０に設けられる照射部４３を例示するための模式図である。
【００６３】
図１１および図１２に示すように、容器ホルダ１１０には、カバー部１１１、保持部１１２、および照明装置１１が設けられている。  
照明装置１１には、発光部２および照明部４３が設けられている。  
１つの容器を保持させること以外は、前述した容器ホルダ１００および照明装置１と同様とすることができる。  
そのため、容器ホルダ１１０に関する詳細な説明は省略する。
【００６４】
また、照射部３の外周面に設けられた入射部３ｂを例示したが、入射部３ｂは、照射部３のカバー部１０１および保持部１０２が設けられる側の少なくともいずれかの端面に設けられていてもよい。すなわち、入射部は、一端が照射部に設けられ、他端が発光部に対峙していればよい。
【００６５】
図１３は、他の実施形態に係る入射部の配設形態を例示するための模式斜視図である。  図１３に示すように、入射部３ｂは、照射部３の保持部１０２が設けられる側の端面に設けられていてもよい。
【００６６】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００６７】
１  照明装置、２  発光部、２ａ  筐体部、２ｂ  発光素子、３  照明部、３ａ  第１の照射部、３ａ１  内周面、３ｂ  入射部、３ｃ  第２の照射部、３ｄ  入射部、３ｅ  第３の照射部、３ｆ  第４の照射部、３ｇ  内周面、３ｈ  凹部、３ｈ１  反射面、３ｉ  凹部、３ｉ１  反射面、３ｊ  凹部、３ｋ  凹部、１１  照明装置、１３  照明部、１３ａ  孔部、１３ａ１  反射面、１３ｂ  孔部、１３ｂ１  反射面、１３ｃ  孔部、１３ｄ  孔部、２３  照明部、３３  照明部、３３ａ  入射部、３３ｂ  入射部、４３  照明部、１００  容器ホルダ、１０１  カバー部、１０１ａ  孔部、１０２  保持部、１１０  容器ホルダ、１１１  カバー部、１１２  保持部
【図１】
0006521371.tif 000002
【図２】
0006521371.tif 000003
【図３】
0006521371.tif 000004
【図４】
0006521371.tif 000005
【図５】
0006521371.tif 000006
【図６】
0006521371.tif 000007
【図７】
0006521371.tif 000008
【図８】
0006521371.tif 000009
【図９】
0006521371.tif 000010
【図１０】
0006521371.tif 000011
【図１１】
0006521371.tif 000012
【図１２】
0006521371.tif 000013
【図１３】
0006521371.tif 000014